(57)【要約】【課題】イメージなどのマルチメディアデータに位置情報（緯度／経度情報）や地名情報を移植して活用することのできる移動端末及びマルチメディアデータを用いた位置管理方法を提供する。【解決手段】マルチメディアデータを画面に表示する表示部と、前記表示部に表示された前記マルチメディアデータとマッチングする位置情報を獲得するためのＧＰＳ衛星信号を用いた位置追跡方式を選択するモード選択部と、前記モード選択部にて選択された位置追跡方式によってユーザ位置を追跡して前記位置情報を獲得するユーザ位置追跡部と、前記位置情報を前記マルチメディアデータとマッチングして格納する格納部とを含む移動端末。【選択図】図１
2010261954.tif 000002
【特許請求の範囲】
【請求項１】
マルチメディアデータを画面に表示する表示部と、
前記表示部に表示された前記マルチメディアデータとマッチングする位置情報を獲得するためのＧＰＳ衛星信号を用いた位置追跡方式を選択するモード選択部と、
前記モード選択部にて選択された位置追跡方式によってユーザ位置を追跡して前記位置情報を獲得するユーザ位置追跡部と、
前記位置情報を前記マルチメディアデータとマッチングして格納する格納部と、
を含む移動端末。
【請求項２】
前記モード選択部は、
前記モード選択部を利用する移動端末が屋内にあるか又は屋外にあるかに応じて位置追跡方式を選択することを特徴とする請求項１に記載の移動端末。
【請求項３】
前記ユーザ位置追跡部は、
前記モード選択部を利用する移動端末が屋内にある場合、ＧＰＳ衛星信号を送って移動通信網のサーバからその応答として測位値を受信するＭＳ−Ａｓｓｉｓｔｅｄ  ＧＰＳ方式によって前記位置情報を獲得することを特徴とする請求項１に記載の移動端末。
【請求項４】
前記ユーザ位置追跡部は、
前記モード選択部を利用する移動端末が屋外にある場合、ＧＰＳ衛星信号を検索し、該検索結果を基に当該端末自体で測位値を計算するＭＳ−Ｂａｓｅｄ  ＧＰＳ方式によって前記位置情報を獲得することを特徴とする請求項１に記載の移動端末。
【請求項５】
前記ユーザ位置追跡部は、
ＭＳ−Ｂａｓｅｄ  ＧＰＳ方式にて衛星からの信号を検索開始してから所定の時間が経過するまでに検索が完了しない場合にＭＳ−Ａｓｓｉｓｔｅｄ  ＧＰＳ方式へ変更し、移動通信網のサーバを介して前記位置情報を獲得することを特徴とする請求項４に記載の移動端末。
【請求項６】
前記位置情報を位置案内サービスと連携して前記位置情報が示す地図上での地名情報を獲得した後、該地名情報を前記格納部へ伝達して前記位置情報とともに前記マルチメディアデータのヘッダ部に格納されるようにする位置案内サービス連携部をさらに含む請求項１に記載の移動端末。
【請求項７】
ユーザによって地名検索が要求されると、前記格納部からヘッダ部へユーザ入力とマッチングする地名情報が登録されている少なくとも一つのマルチメディアデータを検索し、該検索されたマルチメディアデータを整列して前記表示部を介して表示するマルチメディア管理部をさらに含む請求項１に記載の移動端末。
【請求項８】
ユーザによってマルチメディアデータが選択されると、前記マルチメディアデータのヘッダ部に格納された位置情報を読み取って前記位置情報が示す地図上での地名情報を獲得し、該地名情報を位置案内サービスへ伝達して前記地名情報の示す位置が地図上に表示されるようにする位置案内サービス連携部をさらに含む請求項１に記載の移動端末。
【請求項９】
マルチメディアデータを画面に表示し、
前記マルチメディアデータとマッチングする位置情報を獲得するために、ＧＰＳ衛星信号を用いた位置追跡方式を選択し、
前記選択された位置追跡方式によってユーザ位置を追跡して前記位置情報を獲得し、
前記位置情報を前記マルチメディアデータとマッチングして格納する
ことを特徴とするマルチメディアデータを用いた位置管理方法。
【請求項１０】
前記位置追跡方式を選択する際に、
移動端末が屋内にあるか又は屋外にあるかに応じて位置追跡方式を選択することを特徴とする請求項９に記載のマルチメディアデータを用いた位置管理方法。
【請求項１１】
前記位置情報を獲得する際に、
前記移動端末が屋内にある場合、前記移動端末からＧＰＳ衛星信号を送ると、移動通信網のサーバからその応答として前記移動端末の測位値を伝送するＭＳ−Ａｓｓｉｓｔｅｄ  ＧＰＳ方式によって前記位置情報を獲得することを特徴とする請求項９に記載のマルチメディアデータを用いた位置管理方法。
【請求項１２】
前記位置情報を獲得する際に、
前記移動端末が屋外にある場合、前記移動端末がＧＰＳ衛星信号を検索し、該検索結果を基に当該端末自体で測位値を計算するＭＳ−Ｂａｓｅｄ  ＧＰＳ方式によって前記位置情報を獲得することを特徴とする請求項９に記載のマルチメディアデータを用いた位置管理方法。
【請求項１３】
前記ＭＳ−Ｂａｓｅｄ  ＧＰＳ方式にて衛星からの信号を検索開始してから所定の時間が経過するまでに検索が完了しない場合にＭＳ−Ａｓｓｉｓｔｅｄ  ＧＰＳ方式へ変更して、移動通信網のサーバを介して前記位置情報を獲得することを特徴とする請求項１２に記載のマルチメディアデータを用いた位置管理方法。
【請求項１４】
前記位置情報を前記マルチメディアデータとマッチングして格納する際に、
前記位置情報を位置案内サービスと連携して前記位置情報が示す地図上での地名情報を獲得し、該地名情報を前記位置情報とともに前記マルチメディアデータのヘッダ部に格納することを特徴とする請求項９に記載のマルチメディアデータを用いた位置管理方法。
【請求項１５】
さらに、ユーザによって地名検索が入力されると、ヘッダ部にユーザ入力とマッチングする地名情報が登録されている少なくとも一つのマルチメディアデータを検索し、
前記検索されたマルチメディアデータを整列して表示することを
特徴とする請求項９に記載のマルチメディアデータを用いた位置管理方法。
【請求項１６】
さらに、ユーザによってマルチメディアデータが選択されると、前記マルチメディアデータのヘッダ部に格納された位置情報を読み取って前記位置情報が示す地図上での地名情報を獲得し、
前記地名情報を位置案内サービスへ伝達して前記地名情報が示す位置を地図上に表示する
ことを特徴とする請求項９に記載のマルチメディアデータを用いた位置管理方法。
【発明の詳細な説明】
【技術分野】
【０００１】
本発明は、位置案内サービスを提供するための移動端末及びその方法に係り、より詳しくは、ＧＰＳ（Ｇｌｏｂａｌ  Ｐｏｓｉｔｉｏｎｉｎｇ  Ｓｙｓｔｅｍ）信号とイメージなどのマルチメディアデータとを連携して効率的な位置案内サービスを提供する移動端末及びその方法に関する。
【背景技術】
【０００２】
近年、通信関連技術が急速に発展し且つ移動通信サービスの加入者数が増え続けるのに伴い、音声通話サービス以外にもビデオ通話、メッセージ送受信、無線インターネット、放送などの移動端末を利用した様々な付加サービスが導入され商用化されつつある。
【０００３】
位置案内サービスは、こうした付加サービスの一つである。例えば、移動端末は、ユーザの現在位置周辺の飲食店、公共機関、公演情報、地域行事などを地図とともに知らせるサービスや、現在位置から所望の目的地まで一番早く行ける方法、目的地への直接発呼、地図受信などのサービスを提供することができる。
【０００４】
しかしながら、従来の位置案内サービスは、高解像度の地図上においてユーザの所望する地域にあたる部分を拡大して提供し、またはＳＭＳ（Ｓｈｏｒｔ  Ｍｅｓｓａｇｅ  Ｓｅｒｖｉｃｅ）を用いて位置情報を移動端末にその都度知らせる程度のものに過ぎない。このため、ユーザの位置把握や移動推移に関する情報を提供することのできる、より効率的で信頼性の高い方式が求められている。
【先行技術文献】
【特許文献】
【０００５】
【特許文献１】韓国公開特許公報第１０−２００４−００８７５８５号
【発明の概要】
【発明が解決しようとする課題】
【０００６】
そこで、本発明が解決しようとする技術的課題は、イメージなどのマルチメディアデータに位置情報（緯度／経度情報）や地名情報を配置して活用することのできる移動端末及びマルチメディアデータを用いた位置管理方法を提供することである。
【０００７】
本発明が解決しようとする他の技術的課題は、ＧＰＳ衛星信号とマルチメディアデータとを連携して効率的で信頼性の高い位置案内サービスを提供することのできる移動端末及びマルチメディアデータを用いた位置管理方法を提供することである。
【０００８】
本発明が解決しようとする技術的課題は上述した技術的課題に制限されず、言及されていない他の技術的課題が本発明により解決されることが、本発明の属する技術分野における通常の知識を有する者には以下の記載より明確に理解できるであろう。
【課題を解決するための手段】
【０００９】
上記技術的課題を解決するために、本発明の一実施形態において、マルチメディアデータを画面に表示する表示部と、前記表示部に表示された前記マルチメディアデータとマッチングする位置情報を獲得するためのＧＰＳ衛星信号を用いた位置追跡方式を選択するモード選択部と、前記モード選択部にて選択された位置追跡方式によってユーザ位置を追跡して前記位置情報を獲得するユーザ位置追跡部と、前記位置情報を前記マルチメディアデータとマッチングして格納する格納部とを含む移動端末を提供する。
【００１０】
また、本発明の他の実施形態において、マルチメディアデータを画面に表示し、前記マルチメディアデータとマッチングする位置情報を獲得するために、ＧＰＳ衛星信号を用いた位置追跡方式を選択し、前記選択された位置追跡方式によってユーザ位置を追跡して前記位置情報を獲得し、前記位置情報を前記マルチメディアデータとマッチングして格納することを特徴とするマルチメディアデータを用いた位置管理方法を提供する。
【００１１】
本発明の一側面において、ＧＰＳ衛星信号とイメージとを連携する移動端末及びその方法として、移動端末のカメラプレビュー上においてＧＰＳ衛星信号を獲得する方式を提供する。
【００１２】
また、本発明の他の側面において、ＧＰＳ衛星信号とイメージとを連携する移動端末及びその方法は、緯度／経度情報を用いて地図サービスから地名情報を得て格納する方式を提供する。
【００１３】
本発明のさらに他の側面において、ＧＰＳ衛星信号とイメージとを連携する移動端末及びその方法は、マルチメディアデータに格納された位置情報を用いたサービス（例えば、道案内サービス及び地図サービスなど）を提供する。
【発明の効果】
【００１４】
本発明に係る移動端末及びマルチメディアデータを用いた位置管理方法により、イメージなどのマルチメディアデータに位置情報（緯度／経度情報）や地名情報を配置して多様なサービスに活用することができる。
【００１５】
また、本発明に係る移動端末及びマルチメディアデータを用いた位置管理方法により、ＧＰＳ衛星信号とマルチメディアデータとを連携して効率的且つ信頼性の高い位置案内サービスを提供することができる。
【図面の簡単な説明】
【００１６】
【図１】本発明の一実施形態に係る移動端末の構成を示す概略図である。
【図２】本発明の一実施形態に係るマルチメディアデータを用いた位置管理方法を示すフローチャートである。
【図３】本発明の一実施形態に係る移動端末のカメラプレビュー上においてＧＰＳ衛星信号を獲得する過程を説明するための画面の例示である。
【図４】本発明の一実施形態に係る移動端末において、位置情報が含まれたイメージ及びその利用方式を説明するための画面の例示である。
【図５】本発明の一実施形態に係る移動端末において、位置情報が含まれたイメージ及びその利用方式を説明するための画面の例示である。
【発明を実施するための形態】
【００１７】
以下、本発明の好適な実施形態に係る移動端末について、図１を参照して詳しく説明する。
【００１８】
図１は、本発明の一実施形態に係る移動端末の構成を示す概略図である。
【００１９】
図１を参照すると、本発明の一実施形態に係る移動端末は、入力部１１０と、モード選択部１２０と、ユーザ位置追跡部１３０と、格納部１６０、及び表示部１７０とを含む。
【００２０】
入力部１１０は、確認ボタンなどでユーザが入力する入力データを用いて入力コードを生成する。数字キーや確認ボタンを含むキーパッドやタッチペン、マウスなどを入力部１１０として使用してもよい。
【００２１】
表示部１７０は、移動端末の待ち状態におけるバッテリーの使用状態、電波の受信強度、日付と時刻、端末の動作状態などを表示する。とりわけ、表示部１７０は、ユーザの選択によってイメージなどのマルチメディアデータを画面上に視覚的に表示し、ユーザが当該マルチメディアデータに対する位置情報（緯度／経度情報）や地名情報登録作業を行なうことができるように支援する。
【００２２】
モード選択部１２０は、表示部１７０に表示されたマルチメディアデータ（例えば、イメージ、動画など）とマッチングして登録する位置情報を得るために、ＧＰＳ衛星信号を用いた位置追跡方式を選択する。
【００２３】
例えば、ユーザは、自身の位置が屋内であるかあるいは屋外であるかを選択することによって位置追跡方式を選択することができる。ユーザが屋内にある場合、ＭＳ−Ａｓｓｉｓｔｅｄ  ＧＰＳ方式（サーバアシスト型）が適用でき、ユーザが屋外にある場合、ＭＳ−Ｂａｓｅｄ  ＧＰＳ方式（半自律型）が適用できる。ＭＳ−Ｂａｓｅｄ  ＧＰＳ方式は、移動端末がＧＰＳ衛星信号を検索するだけでなく、これを基に当該端末自体で自身の最終位置を計算する方式である。これに対し、ＭＳ−Ａｓｓｉｓｔｅｄ  ＧＰＳ方式では、移動端末に内蔵されたＧＰＳチップがＧＰＳ衛星から送られる信号を受信し該信号を移動通信網の基地局に知らせ、基地局から位置に関するデータを受信してから最終的に位置を確認するようになる。移動端末が基地局を介して初期捕捉（ｆｉｒｓｔ  ｆｉｘ）に用いられる補助データを送ると、移動通信網内の位置決定サーバ（ＰＤＥ：Ｐｏｓｉｔｉｏｎ  Ｄｅｔｅｒｍｉｎａｔｉｏｎ  Ｅｎｔｉｔｙ）にて実際の位置計算を行ない、当該移動端末の測位値を伝送する。このように、ＭＳ−Ａｓｓｉｓｔｅｄ  ＧＰＳ方式の場合、移動通信網とＧＰＳとを複合的に活用する。移動端末は、支援（Ａｓｓｉｓｔａｎｃｅ）データを用いて衛星の位置を追跡して同期をなし、擬似距離を測定して移動通信網の位置決定サーバへ測位データを送ることによって自身の位置が認識できるようになる。
【００２４】
ユーザ位置追跡部１３０は、モード選択部１２０にて選択された位置追跡方式によってユーザ位置を追跡して位置情報（緯度及び経度情報）を獲得する。
【００２５】
ユーザ位置追跡部１３０には、ＭＳ−Ａｓｓｉｓｔｅｄ  ＧＰＳ処理部１３１とＭＳ−Ｂａｓｅｄ  ＧＰＳ処理部１３２とが含まれていてよい。ＭＳ−Ａｓｓｉｓｔｅｄ  ＧＰＳ処理部１３１は、ユーザの位置が屋内である場合に動作し、ＧＰＳ衛星信号を送って移動通信網の位置決定サーバからその応答として測位値を受信するＭＳ−Ａｓｓｉｓｔｅｄ  ＧＰＳ方式によって位置情報を獲得する。
【００２６】
ＭＳ−Ｂａｓｅｄ  ＧＰＳ処理部１３２は、ユーザの位置が屋外である場合、ＧＰＳ衛星信号を検索し該検索結果を基に当該端末自体で測位値を計算するＭＳ−Ｂａｓｅｄ  ＧＰＳ方式によって位置情報を獲得する。
【００２７】
このように、ユーザ位置追跡部１３０は、ユーザの位置が屋内であるかあるいは屋外であるかに応じてＭＳ−Ａｓｓｉｓｔｅｄ  ＧＰＳ方式またはＭＳ−Ｂａｓｅｄ  ＧＰＳ方式を選択的にあるいは組み合わせて遂行して正確な位置情報を獲得することができる。例えば、ＭＳ−Ｂａｓｅｄ  ＧＰＳ方式にて衛星から信号を検索し始めて所定の時間までに検索できない場合には、ＭＳ−Ａｓｓｉｓｔｅｄ  ＧＰＳ方式へ変更して、移動通信網の位置決定サーバを介して位置情報を獲得することができる。
【００２８】
格納部１６０は、ユーザ位置追跡部１３０にて獲得した位置情報を当該マルチメディアデータとマッチングして登録する。例えば、特定のマルチメディアデータと関連付けられた位置情報は、そのマルチメディアデータのヘッダ部に格納される。
【００２９】
図１に示す移動端末は、マルチメディア管理部１４０と、位置案内サービス連携部１５０をさらに含んでいてよい。
【００３０】
マルチメディア管理部１４０は、ユーザによって地名検索が入力されると、格納部１６０からヘッダ部にユーザ入力とマッチングする地名情報やその地名情報に対応する位置情報が登録されている少なくとも一つのマルチメディアデータを検索し、該検索されたマルチメディアデータを整列して表示部１７０を介して表示する。
【００３１】
位置案内サービス連携部１５０は、ユーザ位置追跡部１３０を介して獲得した位置情報を位置案内サービス（道案内サービス、地図サービス、交通案内サービスなど）と連携する。具体的に、位置案内サービス連携部１５０は、得られた位置情報が示す地図上での地名情報を獲得した後、それを格納部１６０へ伝達して位置情報とともに当該マルチメディアデータのヘッダ部に格納できるようにする。
【００３２】
また、位置案内サービス連携部１５０は、ユーザによってマルチメディアデータが選択されると、該選択されたマルチメディアデータのヘッダ部に格納された位置情報を読み取って位置情報が示す地図上での地名情報を獲得し、該獲得した地名情報を地図サービスなどの位置案内サービスへ伝達して地名情報の示す位置が地図上に表示されるようにすることができる。
【００３３】
例えば、道案内サービスは、ユーザが自身の移動端末を利用して現在位置を出発地点として行きたい目的地までの経路の案内を受けられるようにする移動端末基盤のナビゲーションサービスである。ユーザが移動端末に格納された写真のうち一つの写真を選択して道案内サービスを要求すると、移動端末は、該選択された写真のヘッダ部に格納された緯度／経度情報や地名情報から当該写真が示す位置を地図上に表示した後、現在位置から表示された位置まで辿りつくための経路を知らせることができる。
【００３４】
以下、本発明の好適な実施形態に係るマルチメディアデータを用いた位置管理方法について、図２から図５を参照して詳しく説明する。
【００３５】
図２は、本発明の一実施形態によるマルチメディアデータを用いた位置管理方法を示すフローチャートであって、位置管理方法のうちのマルチメディアデータに位置情報を配置する方法を例示している。
【００３６】
先ず、移動端末は、ユーザが選択したマルチメディアデータ（例えば、イメージ）を画面上に表示する（Ｓ１１０）。
【００３７】
ユーザが画面に表示されたマルチメディアデータに移植する位置情報を獲得するために、ＧＰＳ衛星信号を用いた位置追跡方式を選択して入力すると（Ｓ１２０）、移動端末が選択された位置追跡方式によってユーザ位置を追跡して位置情報を獲得する（Ｓ１３０〜Ｓ１５０）。
【００３８】
例えば、Ｓ１２０ステップにおいて、ユーザは現在位置が屋内であるかあるいは屋外であるかを選択することによって位置追跡方式を設定することができる。ユーザが屋内にある場合には、移動端末から信号を送ると移動通信網の位置決定サーバから移動端末の測位値を伝送するＭＳ−Ａｓｓｉｓｔｅｄ  ＧＰＳ方式によって位置情報を獲得することができる（Ｓ１３０、Ｓ１５０）。ユーザが屋外にある場合には、移動端末がＧＰＳ衛星信号を検索し該検索結果を基に当該端末自体で測位値を計算するＭＳ−Ｂａｓｅｄ  ＧＰＳ方式によって位置情報を獲得することができる。仮にユーザが屋外にあり、ＭＳ−Ｂａｓｅｄ  ＧＰＳ方式にて衛星から信号を検索し始めて所定の時間までに検索できない場合には、ＭＳ−Ａｓｓｉｓｔｅｄ  ＧＰＳ方式への自動変更によって位置決定サーバから位置情報を獲得することができる（Ｓ１４０、Ｓ１５０）。
【００３９】
次いで、移動端末は、ＧＰＳ衛星信号を用いて獲得した位置情報（緯度及び経度情報）を当該マルチメディアデータとマッチングして登録する（Ｓ１７０）。なお、移動端末は、獲得した位置情報を内蔵された位置案内サービス（道案内サービス、地図、交通案内など）と連携して当該位置情報が示す地図上での地名情報を獲得した後（Ｓ１６０）、それを位置情報とともにマルチメディアデータのヘッダ部に格納することができる（Ｓ１７０）。
【００４０】
このように、マルチメディアデータに位置情報を移植する一連の過程が終わると、こうしたマルチメディアデータを対象とする活用／管理過程が遂行できる（Ｓ１８０）。
【００４１】
図３は、本発明の一実施形態に係る移動端末のカメラプレビュー上においてＧＰＳ衛星信号を獲得する過程を説明するための画面の例示である。
【００４２】
本発明の一実施形態による移動端末は、ＧＰＳチップを装着し、該装着されたＧＰＳチップを介して獲得した情報をマルチメディアデータ（代表的には、カメラが撮影した写真）と連携して道案内、地図、交通案内などの位置案内サービスに活用する。
【００４３】
ユーザが移動端末のカメラにて写真撮影を開始すると、移動端末が図３の（ａ）に示すように、カメラプレビュー上においてユーザに対して現在のユーザの位置を選択できるようにする屋内／屋外の選択ウィンドウを表示する。しかる後、移動端末は、同図の（ｂ）に示すように、ユーザが選択した位置に従ってＧＰＳ衛星信号追跡を開始する。このとき、屋内／屋外の選択に応じてＭＳ−Ｂａｓｅｄ  ＧＰＳモードあるいはＭＳ−Ａｓｓｉｓｔｅｄ  ＧＰＳモードを駆動させることができる。
【００４４】
移動端末は、かかる方式にてユーザの位置による緯度／経度情報を獲得し、該獲得された緯度／経度情報は二つの方式にて使用されてもよい。第一に、移動端末は、緯度／経度情報をイメージファイルヘッダ（例えば、ＥＸＩＦフォーマット）の緯度／経度パートに格納する。第二に、移動端末は、当該端末自体に内蔵された地図サービス（例えば、ＳＫＴ社のＴ−ＭＡＰ）と連携して地図から地名（例えば、ソウル市麻浦区上岩洞）を得てイメージファイルヘッダ（例えば、ＥＸＩＦフォーマット）のユーザコメント（ＵＳＥＲ  ＣＯＭＭＥＮＴ）パートに格納する。
【００４５】
このようにしてイメージファイル写真のヘッダに格納された緯度／経度情報は、後でマルチメディア管理アルバムにおいて道案内、地図、交通案内などの位置案内サービスと連携されるが、移動端末がヘッダに格納された値をパーシング（ｐａｒｓｉｎｇ）して緯度／経度を位置案内サービスへ伝達することで当該サービスに直接接続されるようにすることができる。また、ヘッダに格納された地名情報は、マルチメディア管理アルバムにおいて位置別検索及び管理に用いることができる。
【００４６】
このような方式によると、ＧＰＳ衛星信号を用いて獲得した位置情報をマルチメディアデータに移植して効率的に管理／利用する方式を実現することができる。すなわち、本発明の一実施形態は、単純入力された位置情報をヘッダに格納し、またはＳＭＳなどを用いてユーザの位置を移動端末にその都度伝達する方式を改善して、カメラプレビュー上において直接且つ正確な位置情報をリアルタイムで獲得し、該位置情報をマルチメディアデータに移植して永久的に用いることができる。
【００４７】
図３の（ａ）、（ｂ）に示すように、移動端末は、ユーザが現在の位置を選択してからＧＰＳ衛星信号の追跡を開始する。
【００４８】
屋内である場合には、衛星から位置データが得られないため、移動通信網内の基地局の位置情報を用いて現在の端末の位置情報を計算するＭＳ−Ａｓｓｉｓｔｅｄ  ＧＰＳ方式を用いる。
【００４９】
屋外を選択すると、ＭＳ−Ｂａｓｅｄ  ＧＰＳ方式とＭＳ−Ａｓｓｉｓｔｅｄ  ＧＰＳ方式の両方を用いることができる。このような方式では、最初にはＭＳ−Ｂａｓｅｄ  ＧＰＳ方式にて衛星から信号を検索し始めて所定の時間までに検索できない場合にＭＳ−Ａｓｓｉｓｔｅｄ  ＧＰＳ方式へ変更して、基地局情報を用いて位置情報を獲得し格納するため、如何なる場合にも位置情報が検索できないという不具合が生じることがない。このようにして位置情報が獲得されると、図１の（ｃ）に示すように、位置情報を地図サービスと連携して現在の緯度／経度が示す地名を獲得し、それをイメージファイルのヘッダに格納する。
【００５０】
図４及び図５は、本発明の一実施形態に係る移動端末において、位置情報が含まれたイメージ及びその利用方式を説明するための画面の例示である。図２の場合は、ＪＰＥＧファイルのＥＸＩＦヘッダに緯度／経度と地名情報をそれぞれ格納した後に該データを活用する方式を例示している。
【００５１】
図４は、マルチメディア管理アルバム内の多くのデータを効率的に管理及び表示するサービスの例を示す図であって、ユーザが特定の地名（例えば、上岩洞）を検索したい場合、ＥＸＩＦヘッダに格納された地名情報を用いてユーザの入力した地名が含まれた写真だけを別途に検索及び整列して表示する。
【００５２】
このように、ユーザが特定の地名を入力して検索を要求すると、移動端末は、ヘッダ部にユーザ入力とマッチングする地名情報が登録されている少なくとも一つのマルチメディアデータを検索した後、該検索されたマルチメディアデータを整列して表示するようになる。
【００５３】
図５は、ＥＸＩＦヘッダに格納された緯度／経度情報を読み取り、該データを携帯電話に内蔵されている道案内、地図、交通案内などの位置案内サービスへ伝達し、写真に含まれた位置までの移動を案内するサービスを例示している。このようなサービスは、ユーザ間においてＭＭＳ（Ｍｕｌｔｉｍｅｄｉａ  Ｍｅｓｓａｇｉｎｇ  Ｓｅｒｖｉｃｅ）や赤外線通信などによって位置情報が含まれた写真データを送る場合に、ユーザの現在位置や観光地、おいしい料理店などを紹介する際に有用である。
【００５４】
ユーザが移動端末上において任意のマルチメディアデータを選択し、それに関する地図サービスを要求した場合に、移動端末は、選択されたマルチメディアデータのヘッダ部に格納された位置情報を読み取り、該位置情報が示す地図上での地名情報を獲得するようにしてもよい。しかる後、移動端末は、地名情報を内蔵された位置案内サービスへ伝達し、当該地名情報の示す位置が地図上に表示されるようにしてもよい。これにより、位置情報とマルチメディアデータとを連動させて、現在の位置情報と紐付けした情報をリアルタイムで提供でき、多様な情報を提供することができる。
【００５５】
以上に示したように、本発明の一実施形態において、イメージなどのマルチメディアデータに位置情報や地名情報を配置して多様なサービスに活用することができる。また、本発明に係る移動端末及びマルチメディアデータを用いた位置管理方法により、ＧＰＳ衛星信号とマルチメディアデータとを連携して効率的且つ信頼性の高い位置案内サービスを提供することができる。さらに、緯度／経度情報及び地名情報がＥＸＩＦヘッダに直接格納されるため、移動端末ごとの管理システムの違いにかかわらず統一して位置案内サービスを利用することができ、且つＭＭＳなどによって位置情報が含まれたデータを他人に伝達して様々なサービスを有効に活用できる。
【００５６】
以上、添付された図面を参照して本発明の実施形態について説明したが、本発明の属する技術分野における通常の知識を有する者ならば、本発明がその技術的思想や必須な特徴を変更することなく他の具体的な形態で実施できることが理解できるであろう。
【００５７】
すなわち、上述した実施形態は、本発明の属する技術分野における通常の知識を有する者に本発明の特許請求の範囲を的確に理解させるために提供するものであって、すべての面において例示的なものであり限定的なものではないことを理解すべきで、本発明は、特許請求の範囲によって技術的範囲が解釈される。
【符号の説明】
【００５８】
１１０：入力部
１２０：モード選択部
１３０：ユーザ位置追跡部
１４０：マルチメディア管理部
１５０：位置案内サービス連携部
１６０：格納部
１７０：表示部
【図１】
2010261954.tif 000003
【図２】
2010261954.tif 000004
【図３】
2010261954.tif 000005
【図４】
2010261954.tif 000006
【図５】
2010261954.tif 000007